(57)【要約】【課題】不織布製のタッセル用芯地に簡単かつ低コストで適度な弾力性を付与し、これにより、折り目が付かずカーテンを束ねた状態で自然な丸味を帯びるタッセルを提供する。【解決手段】カーテン用タッセルに使用する不織布で構成した芯地２である。芯地２の上縁部又は下縁部或いは上縁部と下縁部の両方を、所定幅で内側に折り返して二重にし、当該二重部分の内側に、弾性を有する線状部材を収納し、この状態で前記二重部分の内面同士を互いに接着する。【選択図】図１
0003179456.tif 000002
【実用新案登録請求の範囲】
【請求項１】
カーテン用タッセルに使用する不織布で構成した芯地であって、前記芯地の上縁部又は下縁部或いは上縁部と下縁部の両方を、所定幅で内側に折り返して二重にし、当該二重部分の内側に、弾性を有する線状部材を収納し、この状態で前記二重部分の内面同士を互いに接着したことを特徴とするタッセルの芯地。
【請求項２】
前記芯地の片面にタッセルの布帛内面に接着するための糊面が形成され、前記二重部分を前記糊面を内側にして形成したことを特徴とする請求項１の芯地。
【請求項３】
前記線状部材を前記芯地の長手方向中央部分にのみ取り付けたことを特徴とする請求項１又は２の芯地。
【請求項４】
請求項１から３のいずれか１の芯地を使用したカーテン用タッセル。
【考案の詳細な説明】
【技術分野】
【０００１】
本考案は、カーテンを束ねるタッセルと、このタッセルに使用するタッセル用芯地に関する。
【背景技術】
【０００２】
従来、図４（ａ）のように、カーテン用タッセル１は帯状の芯地２を二つ折りの布帛１ａの間に挟み込み、この二つ折りにした布帛１ａの周囲四辺の縁部１ｃを縫い合わせた後、布帛１ａの両端に係止用ループ１ｂを取り付けて完成品にしている。芯地２としては主として軽量低コストで布帛との縫い合わせが容易であるという理由から通常不織布が使用され、この不織布のコシの強さでタッセルの帯状外観を保持するようにしている。なお、特許文献１（特開平１０−２０１６０７号公報）のようにカーテンに対する巻き付けと開放を手早く行えるように芯材に弾性を有する金属板を使用したタッセルも知られている。
【先行技術文献】
【特許文献】
【０００３】
【特許文献１】特開平１０−２０１６０７号公報
【考案の概要】
【考案が解決しようとする課題】
【０００４】
従来のタッセル１は芯地２のコシの強さと弾力性が弱く、商品の流通過程で長さ方向中央で二つ折りにして包装した場合、図４（ｂ）のように商品に二つ折りの折り目３が付いて商品価値が低下してしまうという課題があった。
【０００５】
また、特許文献１（特開平１０−２０１６０７号公報）のような芯材に金属板を使用したタッセルは自由状態で真っ直ぐになろうとする形状復元性があるので、前述したような折り目が簡単には付かない。しかしながら、不織布製の芯地に比べると芯材自体がかなり分厚くなって重量とコストが増大するし、弾力性が強過ぎるためにタッセルとしての自然な風合いが出しにくいなど、現実的には採用するのが難しいという課題があった。
【０００６】
本考案の目的は、不織布製のタッセル用芯地に簡単かつ低コストで適度な弾力性を付与することで、折り目が付かずカーテンを束ねた状態で自然な丸味を帯びた外観を発現することができるタッセルと芯地を提供することにある。
【課題を解決するための手段】
【０００７】
前記課題を解決するために、本考案は、カーテン用タッセルに使用する不織布で構成した芯地であって、前記芯地の上縁部又は下縁部或いは上縁部と下縁部の両方を、所定幅で内側に折り返して二重にし、当該二重部分の内側に弾性を有する線状部材を収納し、この状態で二重部分の内面同士を互いに接着する。
【０００８】
このような線状部材の取付構造は、線状部材を固定するために別途固定部材を用意する必要がないので、芯地の構成が簡単になりコストダウンを図ることができる。線状部材は必ずしも芯地の長手方向全長にわたって取り付ける必要はなく、カーテンを束ねた状態で屈曲する少なくとも芯地の中央部分を含む所定長さで取り付けるようにしてもよい。
【０００９】
芯地の種類の中には片面に糊面が形成されたものがある。このような糊面付きの芯地は、二つ折りにしたタッセル用布帛で芯地を縫い込む際に、芯地が布帛に対して位置ズレするのを防止するために使用される。すなわち、二つ折りのタッセル用布帛の片側所定位置に糊面を下側にした芯地を重ね合わせて加熱接着し、当該布帛の反対側を芯地の上に重ね合わせた状態で芯地の周囲を縫い合わせる。このような糊面付きタッセルの場合、前記二重部分を糊面を内側にして形成することで接着剤を塗布することなく二重部分を簡単に接着することができる。
【００１０】
以上のように構成した芯地をカーテン用タッセルに使用することで、カーテンを束ねた状態で自然な柔らかい丸味を帯びたタッセルの外観を発現可能なことからタッセルの商品価値を高めることができる。
【考案の効果】
【００１１】
本考案は、不織布製芯地の上縁部又は下縁部或いは上縁部と下縁部の両方を、所定幅で内側に折り返して二重にし、当該二重部分の内側に弾性を有する線状部材を収納したので、簡単かつ低コストで芯地の適度なコシと弾力性が得られ、当該芯地をタッセルに使用することでカーテンを束ねた状態で自然な柔らかい丸味を帯びたタッセルの外観を発現することができる。
【図面の簡単な説明】
【００１２】
【図１】（ａ）は本考案の実施形態に係るタッセル用芯地の線状部材を取り付ける前の正面図、（ｂ）は上縁部を下側に折り返して二重にした状態の芯地の正面図、（ｃ）は線状部材を収納した二重部分を接着して完成品にした状態の芯地の正面図、（ｄ）は線状部材を短くした（ｃ）と同様の正面図である。
【図２】本考案の実施形態に係るタッセル用芯地の中央断面図である。
【図３】本考案の実施形態に係る芯地を使用したタッセルの使用状態における外観斜視図である。
【図４】（ａ）は従来のタッセルの正面図、（ｂ）は同タッセルの使用状態における外観斜視図である。
【考案を実施するための形態】
【００１３】
以下、図面を参照して本考案の実施形態を説明する。図１（ａ）〜（ｄ）は本考案の実施形態に係るタッセル用芯地２を示したものである。この芯地２は不織布製であって、図１（ａ）〜（ｄ）の図面手前側の片面全面に予め糊面２ａ（斜線部）が形成されている。糊面２ａ付きの芯地２は、二つ折りにしたタッセル用布帛で芯地２を縫い込む際に、芯地２が布帛に対して位置ズレしないようにするためのものである。
【００１４】
芯地２の上縁部は、図１（ｂ）及び図２のように所定幅（約５〜１０ミリ）で手前側に折り返して二重にされ、この二重部分２ｂの内側に線状部材４が収納される。線状部材４は二重部分２ｂを形成した後に図１（ｂ）のように矢印方向から二重部分２ｂの中に挿入してもよいし、図１（ａ）の二重部分２ｂの折り曲げ線２ｃに沿って予め線状部材４を配置しておき、その後線状部材４を閉じ込めるように二重部分２ｂを折り曲げ形成してもよい。二重部分２ｂの内側面には予め糊面２ａが形成されているので、二重部分２ｂに線状部材４を収納した後に当該二重部分２ｂを外側から加熱することで図１（ｃ）及び図２のように二重部分２ｂの下端を接着することができる。
【００１５】
線状部材４は適度の弾性を有する例えばナイロンやポリエステルなどの樹脂製とすることができる。線状部材４は図１（ｃ）のように芯地２の全長にわたる長さとしてもよいし、図１（ｄ）のように芯地２の全長よりはやや短いが、カーテンを束ねた状態で屈曲する少なくとも芯地２の中央部分に重なる所定長さとしてもよい。
【００１６】
線状部材４の直径は、材質によっても異なるが、ナイロンやポリエステルなど通常の樹脂製であれば、直径が１ｍｍ程度もあれば、芯地２の上縁部又は下縁部の一方に、１本だけ取り付けるだけで十分なコシの強さと弾力性が得られる。線状部材４の断面は任意であり、円形断面としたり、扁平な矩形断面としたりすることができる。
【００１７】
図３は本考案に係る芯地２を使用したタッセル１の使用状態の外観を示している。このように、本考案に係る芯地２は線状部材４によって適度なコシの強さと弾力性が得られるので、カーテンを束ねた状態で自然な柔らかい丸味を帯びた屈曲形状を発現することができる。
【００１８】
以上、本考案の実施形態と変形例について説明したが、本考案は前記実施形態や変形例に限定されることなく、実用新案登録請求の範囲に記載された技術的思想の範囲内で種々の変形が可能であることは勿論である。
【符号の説明】
【００１９】
１：タッセル
１ａ：布帛
１ｂ：係止用ループ
１ｃ：開口側の縁部
２：芯地
２ａ：糊面
２ｂ：二重部分
４：線状部材
【図１】
0003179456.tif 000003
【図２】
0003179456.tif 000004
【図３】
0003179456.tif 000005
【図４】
0003179456.tif 000006